(57)【要約】【課題】スピーカから出力される効果音等の音質を向上させると共に、保守作業を容易にした遊技機を提供すること。【解決手段】本発明の遊技機１は、遊技媒体の投入口を有する筐体と、上部に遊技媒体を投入可能な開放部４２を有する払出装置４０と、払出装置４０の上方に配置され、遊技媒体を開放部４２に案内する案内部５３と、スピーカユニットと、案内部５３の近傍における払出装置４０の上方に配置され、スピーカユニットが配設される第１ボックスと、第１ボックスの内部に出力された音を放出する放出パイプを有する第２ボックスと、第１ボックスと第２ボックスとを連通させる連通部１３０と、を有するスピーカボックス１００と、を備え、連通部１３０は、払出装置４０の背面側Ｒにおいて案内部５３と対向するように配置されると共に、筐体の背面側Ｒから前面側Ｆに向かって下り傾斜する傾斜部を有する。【選択図】図５
2010012243.tif 000002
【特許請求の範囲】
【請求項１】
遊技媒体が投入される投入口を前面に有する筐体と、
前記筐体の内部に配置され、上部に前記遊技媒体を投入可能な開放部を有する払出装置と、
前記筐体の内部における前記払出装置の上方に配置され、前記投入口から投入される前記遊技媒体を前記開放部に案内する案内部と、
音を出力するスピーカユニットと、
前記案内部の近傍における前記払出装置の上方に配置され、前記スピーカユニットが配設される第１ボックスと、前記第１ボックスの内部に出力された音を放出する放出パイプを有する第２ボックスと、前記第１ボックスと前記第２ボックスとを連通させる連通部と、を有するスピーカボックスと、を備え、
前記連通部は、前記払出装置の背面側において前記案内部と対向するように配置されると共に、前記筐体の背面側から前面側に向かって下り傾斜する傾斜部を有することを特徴とする遊技機。
【請求項２】
前記スピーカボックスは、前記開放部の少なくとも一部を覆うように配置されることを特徴とする請求項１に記載の遊技機。
【請求項３】
筐体と、
前記筐体の内部に配置され、上部に遊技媒体を投入可能な開放部を有する払出装置と、
前記筐体の背面における前記払出装置の上方に設けられ、前記筐体の外部から前記払出装置に前記遊技媒体を補給可能な補給部と、
音を出力するスピーカユニットと、
前記筐体の内部における前記払出装置の上方に配置され、前記スピーカユニットが配設される第１ボックスと、前記第１ボックスの内部に出力された音を放出する放出パイプを有する第２ボックスと、前記第１ボックスと前記第２ボックスとを連通させる連通部と、を有するスピーカボックスと、を備え、
前記連通部は、前記補給部の下方に配置されると共に、前記筐体の背面側から前面側に向かって下り傾斜する傾斜部を有することを特徴とする遊技機。
【請求項４】
前記スピーカボックスは、前記開放部の少なくとも一部を覆うように配置されることを特徴とする請求項３に記載の遊技機。
【請求項５】
遊技媒体が投入される投入口を前面に有する筐体と、
前記筐体の背面における払出装置の上方に設けられ、前記筐体の外部から前記払出装置に前記遊技媒体を補給可能な補給部と、
前記筐体の内部に配置され、上部に前記遊技媒体を投入可能な開放部を有する払出装置と、
前記筐体の内部における前記払出装置の上方に配置され、前記投入口から投入される前記遊技媒体を前記開放部に案内する案内部と、
音を出力するスピーカユニットと、
前記案内部の近傍における前記払出装置の上方に配置され、前記スピーカユニットが配設される第１ボックスと、前記第１ボックスの内部に出力された音を放出する放出パイプを有する第２ボックスと、前記第１ボックスと前記第２ボックスとを連通させる連通部と、を有するスピーカボックスと、を備え、
前記連通部は、前記補給部の下方において前記案内部と対向するように配置されると共に、前記筐体の背面側から前面側に向かって下り傾斜する傾斜部を有することを特徴とする遊技機。
【請求項６】
前記スピーカボックスは、前記開放部の少なくとも一部を覆うように配置されることを特徴とする請求項５に記載の遊技機。
【発明の詳細な説明】
【技術分野】
【０００１】
本発明は、スピーカボックスを筐体の内部に備える遊技機に関する。
【背景技術】
【０００２】
従来より、遊技状況に応じてバックグラウンドミュージックや効果音、若しくは音声等を出力することにより、遊技者の遊技に対する興趣を高める演出が行われる遊技機が知られている。例えば、複数の図柄を変動表示するリールを複数配列して構成される遊技機においては、図柄が変動表示されているときにスピーカから所定の効果音を出力させたり、図柄が特定の組合せ（入賞図柄）になった場合にスピーカからバックグラウンドミュージック等を出力させることによって、遊技における雰囲気を盛り上げる演出が行われている。
【０００３】
ところで、近年においては、スピーカから出力される音の音質は、映像等による演出と同様に、遊技者の興趣を向上させるための重要な要素の１つとして注目されている。例えば、スピーカを個別のスピーカボックスに取り付けることによりスピーカから出力される音の音質を向上させ、遊技者の興趣の向上を図った遊技機が開示されている（例えば、特許文献１参照）。
【０００４】
一方、遊技機には、一般に、投入された遊技媒体を貯留すると共に、遊技の結果に応じて遊技媒体の払い出しを行う払出装置が設けられている。払出装置は、投入された遊技媒体を貯留すると共に、所定量以上の遊技媒体が堆積した場合にはエラーを報知するように構成されている（例えば、特許文献２参照）。
更に、払出装置に貯留される遊技媒体の貯留量が減少したときに、遊技媒体を自動補給機により補給可能な遊技機が開示されている（例えば、特許文献１参照）。特許文献３に開示の遊技機は、払出装置に貯留される遊技媒体が所定量以下になったときに、遊技機の背面側に設けられる補給部から遊技媒体を補給することにより、払出装置に貯留される遊技媒体が不足することを防止することが可能になる。
【先行技術文献】
【特許文献】
【０００５】
【特許文献１】特開２０００−２９６２１１号公報
【特許文献２】特開２００６−２３０７８４号公報
【特許文献３】特開２００７−４４１４３号公報
【発明の概要】
【発明が解決しようとする課題】
【０００６】
しかしながら、特許文献１に開示の遊技機は、遊技に係る効果音等の音質を向上させることは可能となるが、スピーカボックスを遊技機の筐体正面に配置しているため他の演出、例えば、映像等による演出を行う領域が狭くなるという問題があった。
【０００７】
また、特許文献２及び３に開示の遊技機のように上方が開放された開放部を有する払出装置においては、例えば、払出装置内における遊技媒体の偏った堆積やメダルの落下速度との関係等により、投入時に遊技媒体が開放部から飛散する場合がある。同様に、補給部を介して自動補給機により遊技媒体を補給する場合、補給部と払出装置の開放部とが離間していることより、自動補給機により大量の遊技媒体が排出されると、遊技媒体が開放部から飛散する場合がある。遊技媒体が開放部から飛散すると、遊技媒体が筐体内部にばらまかれ、回収が困難となる。そして、筐体内部にばらまかれた遊技媒体を回収することは、管理者にとって非常に煩わしい作業であった。
【０００８】
本発明は、スピーカから出力される効果音等の音質を向上させると共に、筐体内部に配置される払出装置から遊技媒体が飛散することを抑制することにより、保守作業を容易にした遊技機を提供することを目的とする。
【課題を解決するための手段】
【０００９】
（１）  遊技媒体が投入される投入口を前面に有する筐体と、前記筐体の内部に配置され、上部に前記遊技媒体を投入可能な開放部を有する払出装置と、前記筐体の内部における前記払出装置の上方に配置され、前記投入口から投入される前記遊技媒体を前記開放部に案内する案内部と、音を出力するスピーカユニットと、前記案内部の近傍における前記払出装置の上方に配置され、前記スピーカユニットが配設される第１ボックスと、前記第１ボックスの内部に出力された音を放出する放出パイプを有する第２ボックスと、前記第１ボックスと前記第２ボックスとを連通させる連通部と、を有するスピーカボックスと、を備え、前記連通部は、前記払出装置の背面側において前記案内部と対向するように配置されると共に、前記筐体の背面側から前面側に向かって下り傾斜する傾斜部を有することを特徴とする遊技機。
【００１０】
（１）記載の発明によれば、本発明の遊技機は、スピーカユニットが配設される第１ボックスと、前記第１ボックスの内部に出力された音を放出する放出パイプを有する第２ボックスと、前記第１ボックスと前記第２ボックスとを連通させる連通部と、を有するバスレフ型のスピーカボックスを備える。そのため、スピーカユニットから出力された音は、スピーカボックスの内部空間を音響空間として利用可能となると共に、放出パイプから重低音が増幅されて出力されるため、臨場感に溢れる演出を行うことができる。これにより、遊技者の遊技に対する興味や興奮を高揚させることが可能となる。
【００１１】
また、本発明の遊技機は、払出装置に設けられる開放部の上方にスピーカボックスを配置すると共に、筐体の背面側から前面側に向かって下り傾斜する傾斜部を有する連通部が払出装置の背面側に配置される。そのため、例えば、案内部から投入された遊技媒体が筐体の背面側に飛散した場合においても、遊技媒体を払出装置側に誘導させることが可能になる。これにより、筐体の床面等に遊技媒体が散点することを抑制することが可能になり、遊技機の保守作業が容易になる。
【００１２】
（２）  前記スピーカボックスが前記開放部の少なくとも一部を覆うように配置されることを特徴とする（１）に記載の遊技機。
【００１３】
（２）記載の発明によれば、本発明の遊技機は、更に、スピーカボックスが前記開放部の少なくとも一部を覆うように配置される。そのため、遊技媒体の投入を妨げることなく、例えば、遊技媒体が払出装置の外部に飛散することを防止することが可能になる。これにより、筐体の床面等に遊技媒体が散点することを防止することが可能になり、遊技機の保守作業が容易になる。
【００１４】
（３）  筐体と、前記筐体の内部に配置され、上部に遊技媒体を投入可能な開放部を有する払出装置と、前記筐体の背面における前記払出装置の上方に設けられ、前記筐体の外部から前記払出装置に前記遊技媒体を補給可能な補給部と、音を出力するスピーカユニットと、前記筐体の内部における前記払出装置の上方に配置され、前記スピーカユニットが配設される第１ボックスと、前記第１ボックスの内部に出力された音を放出する放出パイプを有する第２ボックスと、前記第１ボックスと前記第２ボックスとを連通させる連通部と、を有するスピーカボックスと、を備え、前記連通部は、前記補給部の下方に配置されると共に、前記筐体の背面側から前面側に向かって下り傾斜する傾斜部を有することを特徴とする遊技機。
【００１５】
（３）記載の遊技機によれば、本発明の遊技機は、スピーカユニットが配設される第１ボックスと、前記第１ボックスの内部に出力された音を放出する放出パイプを有する第２ボックスと、前記第１ボックスと前記第２ボックスとを連通させる連通部と、を有するバスレフ型のスピーカボックスを備える。そのため、スピーカユニットから出力された音は、スピーカボックスの内部空間を音響空間として利用可能となると共に、放出パイプから重低音が増幅されて出力されるため、臨場感に溢れる演出を行うことができる。これにより、遊技者の遊技に対する興味や興奮を高揚させることが可能となる。
【００１６】
また、本発明の遊技機は、払出装置に設けられる開放部の上方にスピーカボックスを配置すると共に、筐体の背面側から前面側に向かって下り傾斜する傾斜部を有する連通部が補給部の下方に配置される。そのため、例えば、補給部から補給された遊技媒体を零すことなく払出装置側に誘導させることが可能になる。これにより、筐体の床面等に遊技媒体が散点することを抑制することが可能になり、遊技機の保守作業が容易になる。
【００１７】
（４）  前記スピーカボックスが前記開放部の少なくとも一部を覆うように配置されることを特徴とする（３）に記載の遊技機。
【００１８】
（４）記載の発明によれば、本発明の遊技機は、更に、スピーカボックスが前記開放部の少なくとも一部を覆うように配置される。そのため、遊技媒体の投入を妨げることなく、例えば、遊技媒体が払出装置の外部に飛散することを防止することが可能になる。これにより、筐体の床面等に遊技媒体が散点することを防止することが可能になり、遊技機の保守作業が容易になる。
【００１９】
（５）  遊技媒体が投入される投入口を前面に有する筐体と、前記筐体の背面における払出装置の上方に設けられ、前記筐体の外部から前記払出装置に前記遊技媒体を補給可能な補給部と、前記筐体の内部に配置され、上部に前記遊技媒体を投入可能な開放部を有する払出装置と、前記筐体の内部における前記払出装置の上方に配置され、前記投入口から投入される前記遊技媒体を前記開放部に案内する案内部と、音を出力するスピーカユニットと、前記案内部の近傍における前記払出装置の上方に配置され、前記スピーカユニットが配設される第１ボックスと、前記第１ボックスの内部に出力された音を放出する放出パイプを有する第２ボックスと、前記第１ボックスと前記第２ボックスとを連通させる連通部と、を有するスピーカボックスと、を備え、前記連通部は、前記補給部の下方において前記案内部と対向するように配置されると共に、前記筐体の背面側から前面側に向かって下り傾斜する傾斜部を有することを特徴とする遊技機。
【００２０】
（５）記載の発明によれば、本発明の遊技機は、スピーカユニットが配設される第１ボックスと、前記第１ボックスの内部に出力された音を放出する放出パイプを有する第２ボックスと、前記第１ボックスと前記第２ボックスとを連通させる連通部と、を有するバスレフ型のスピーカボックスを備える。そのため、スピーカユニットから出力された音は、スピーカボックスの内部空間を音響空間として利用可能となると共に、放出パイプから重低音が増幅されて出力されるため、臨場感に溢れる演出を行うことができる。これにより、遊技者の遊技に対する興味や興奮を高揚させることが可能となる。
【００２１】
また、本発明の遊技機は、払出装置に設けられる開放部の上方にスピーカボックスを配置すると共に、筐体の背面側から前面側に向かって下り傾斜する傾斜部を有する連通部が払出装置の背面側に配置される。また、連通部は、補給部の下方に配置される。そのため、
例えば、案内部から投入された遊技媒体が筐体の背面側に飛散した場合においても、遊技媒体を払出装置側に誘導させることが可能になる。また、例えば、補給部から補給された遊技媒体を零すことなく払出装置側に誘導させることが可能になる。これにより、筐体の床面等に遊技媒体が散点することを抑制することが可能になり、遊技機の保守作業が容易になる。
【００２２】
（６）  前記スピーカボックスが前記開放部の少なくとも一部を覆うように配置されることを特徴とする（５）に記載の遊技機。
【００２３】
（６）記載の発明によれば、本発明の遊技機は、更に、スピーカボックスが前記開放部の少なくとも一部を覆うように配置される。そのため、遊技媒体の投入を妨げることなく、例えば、遊技媒体が払出装置の外部に飛散することを防止することが可能になる。これにより、筐体の床面等に遊技媒体が散点することを防止することが可能になり、遊技機の保守作業が容易になる。
【発明の効果】
【００２４】
本発明によれば、スピーカから出力される効果音等の音質を向上させると共に、筐体内部に配置される払出装置から遊技媒体が飛散することを抑制することにより、保守作業を容易にした遊技機を提供することができる。
【図面の簡単な説明】
【００２５】
【図１】本発明の実施形態に係る遊技機を前面側から見た外観斜視図である。
【図２】前記実施形態に係る遊技機を背面側から見た外観斜視図である。
【図３】前記実施形態に係る遊技機の前面扉の内部構造を示す外観斜視図である。
【図４】前記実施形態に係る遊技機のキャビネットの内部構造を示す外観斜視図である。
【図５】前記実施形態に係る遊技機のキャビネットの内部構造を示す側面図である。
【図６】前記実施形態に係る遊技機のキャビネットの内部に配設されるスピーカボックスとホッパーを示す外観斜視図である。
【図７】前記実施形態に係る遊技機に配設されるスピーカボックスの外観斜視図である。
【図８】前記実施形態に係る遊技機に配設されるスピーカボックスの正面図である。
【図９】前記実施形態に係る遊技機に配設されるスピーカボックスの背面図である。
【図１０】前記実施形態に係る遊技機に配設されるスピーカボックスの平面図である。
【図１１】図９のＸ−Ｘ断面図である。
【図１２】図９のＹ−Ｙ断面図である。
【図１３】前記実施形態に係る遊技機の電気回路の構成を示すブロック図である。
【図１４】本発明の実施形態に係る遊技機のスピーカボックスとホッパーとの位置関係を示すキャビネットの正面図である。
【図１５】前記実施形態に係る遊技機の遊技機に係る機器の位置関係を示す筐体の側面図である。
【図１６】本発明の第１変形例に係る遊技機のキャビネットの背面側を示す背面図である。
【図１７】本発明の第１変形例に係る遊技機に配設されるスピーカボックスの外観斜視図である。
【図１８】本発明の第２変形例に係る遊技機に配設されるスピーカボックスの外観斜視図である。
【図１９】本発明の第２変形例に係る遊技機に配設されるスピーカボックスの断面を示す斜視断面図である。
【図２０】本発明の第２変形例に係る遊技機のスピーカボックスの配置位置を示すキャビネットの外観斜視図である。
【図２１】本発明の第２変形例に係る遊技機のスピーカボックスの配置位置を示すキャビネットの正面図である。
【発明を実施するための形態】
【００２６】
以下、本発明を実施するための形態について、図面を参照しながら説明する。
本発明に係る遊技機は、コイン、メダル、遊技球又はトークンなどの他、遊技者に付与された、又は付与される遊技価値の情報を記憶したカードなどの遊技媒体を用いて遊技する遊技機である。以下の実施形態においては、本発明に係る遊技機は、遊技媒体としてメダルを用いて遊技を行う遊技機、いわゆるパチスロ機を用いて説明する。
【００２７】
最初に、図１及び図２を参照して、本発明の一実施形態に係る遊技機１の外観構成を説明する。図１は、本発明の実施形態に係る遊技機１を前面側から見た外観斜視図である。図２は、前記実施形態に係る遊技機１を背面側から見た外観斜視図である。
【００２８】
図１及び図２に示すように、遊技機１の外観は、筐体２によって構成されている。筐体２は、前面側Ｆに配置される前面扉２ａと、前面扉２ａの背面側Ｒに配置されるキャビネット２ｂと、を主体に構成されている。前面扉２ａは、キャビネット２ｂの前面側Ｆの端部に軸支されており、キャビネット２ｂを開閉可能に配設されている。キャビネット２ｂは、内部に遊技に用いられる機器を収容する。
【００２９】
図１に示すように、前面扉２ａの前面には、略中央部に矩形状のメイン表示窓３ａが設けられている。メイン表示窓３ａには、内部にリール窓枠体３ｂが取り付けられており、リール窓枠体３ｂには、３つの矩形状の窓枠表示領域４Ｌ，４Ｃ，４Ｒが並列状態（横一列）に設けられている。窓枠表示領域４Ｌ，４Ｃ，４Ｒは、筐体の内部を視認可能に形成されており、後述のメインリール３Ｌ，３Ｃ，３Ｒの動作やメインリール３Ｌ，３Ｃ，３Ｒに描かれている図柄を表示させる。
【００３０】
メイン表示窓３ａの下部側Ｂには、略水平状の台座部１２が設けられている。台座部１２におけるメイン表示窓３ａの一方側Ｒ１（図１の筐体２を前面側Ｆから見た右側をいい、以下、筐体２を前面側Ｆから見た右側を「一方側」という。）には、メダルを投入するためのメダル投入口５が設けられている。メダル投入口５から投入されたメダルは、クレジットされるか又はゲームに賭けられる。
【００３１】
台座部１２におけるメイン表示窓３ａの他方側Ｌ（図１の筐体２を前面側Ｆから見た左側をいい、以下、筐体２を前面側Ｆから見た左側を「他方側」という。）には、クレジットされているメダルを賭けるための１−ＢＥＴボタン８ａと、ＭＡＸＢＥＴボタン８ｂと、が設けられている。１−ＢＥＴボタン８ａは、遊技者の押しボタン操作によりメダルの投入枚数「１枚」が選択されるように構成されている。また、最大ＢＥＴボタン８ｂは、遊技者の押しボタン操作によりメダルの投入枚数「３枚」が選択されるように構成されている。
【００３２】
１−ＢＥＴボタン８ａ、及びＭＡＸＢＥＴボタン８ｂの前面側Ｆには、スタートレバー６が設けられている。スタートレバー６は、遊技者の操作によりメインリール３Ｌ，３Ｃ，３Ｒを回転駆動させると共に、窓枠表示領域４Ｌ，４Ｃ，４Ｒ内で図柄の変動表示を開始させる。スタートレバー６は、所定の角度範囲で傾動自在に取り付けられている。
【００３３】
スタートレバー６の一方側Ｒ１には、メインリール３Ｌ，３Ｃ，３Ｒの回転を停止させるための停止ボタン７Ｌ，７Ｃ，７Ｒが設けられている。なお、１ゲーム（単位遊技）は、遊技者によりスタートレバー６が操作されることによって開始され、遊技者が停止ボタン７Ｌ，７Ｃ，７Ｒを押しボタン操作することにより、全てのメインリール３Ｌ，３Ｃ，３Ｒが停止した時に終了する。各停止ボタン７Ｌ，７Ｃ，７Ｒの裏側には、停止ボタン７Ｌ，７Ｃ，７Ｒの停止操作を検知するストップスイッチ７ＬＳ，７ＣＳ，７ＲＳ（図示せず）が設けられている。
【００３４】
停止ボタン７Ｌ，７Ｃ，７Ｒの一方側には、Ｃ／Ｐボタン１３が設けられている。Ｃ／Ｐボタン１３は、遊技者がゲームで獲得したメダルのクレジット／払出しを遊技者の押しボタン操作で切り換える。このＣ／Ｐボタン１３の切り換えにより、前面扉２ａの下部側Ｂに設けたメダル払出口１４からメダルが払出される。払出されたメダルは、メダル受け部１５に溜められる。
【００３５】
スタートレバー６、停止ボタン７Ｌ，７Ｃ，７Ｒ、及びＣ／Ｐボタン１３の下部側Ｂには、腰部パネル１８が設けられている。腰部パネル１８は、アクリル板などを使用した化粧用パネルにより構成されている。腰部パネル１８には、遊技機１の機種を表す名称や種々の模様などが印刷されている。また、メダル払出口１４の一方側Ｒ１には、遊技に係る効果音等を出力するスピーカ２６が設けられている。
【００３６】
メイン表示窓３ａの上部側Ｔには、矩形状の開口部として形成されたパネル表示部１９が設けられている。パネル表示部１９には、表面に矩形状のアクリル板などが使用された透明パネル１９ａが取り付けられている。透明パネル１９ａの前面側Ｆには、パネルホルダ１９ｂが装着されている。パネルホルダ１９ｂには、第１表示窓２２ａが設けられている。また、パネルホルダ１９ｂには、遊技情報が印刷された遊技情報シート１９ｃが貼付されている。遊技情報シート１９ｃには、第１表示窓２２ａ内にサブリール２１Ｌ，２１Ｃ，２１Ｒを視認させるための３つの矩形状の開口２２Ｌ，２２Ｃ，２２Ｒが切り抜かれている。３つの開口２２Ｌ，２２Ｃ，２２Ｒは、サブリール２１Ｌ，２１Ｃ，２１Ｒの動作やサブリール２１Ｌ，２１Ｃ，２１Ｒ上に描かれている図柄を遊技者に視認可能にさせる。
【００３７】
第１表示窓２２ａの他方側Ｌには、上部側Ｔから順に１−ＢＥＴランプ９ａ、最大ＢＥＴランプ９ｂ、ボーナス遊技情報表示部１６、及びクレジット表示部１７が設けられている。１−ＢＥＴランプ９ａ、最大ＢＥＴランプ９ｂは、単位遊技を行うために投入されたメダル数（以下「ＢＥＴ数」という）に応じて点灯するランプである。具体的には、１−ＢＥＴランプ９ａは、投入枚数が１枚のときに点灯し、最大ＢＥＴランプ９ｂは、投入枚数が３枚のときに点灯する。
【００３８】
ボーナス遊技情報表示部１６は、７セグメントＬＥＤにより形成されている。ボーナス遊技情報表示部１６は、ボーナス中の遊技情報（ボーナスゲーム中の遊技回数）を表示する。
【００３９】
クレジット表示部１７は、それぞれ７セグメントのＬＥＤにより形成されている。クレジット表示部１７は、クレジットされている残ノダル枚数を表示する。なお、遊技機１にクレジットされる最大枚数は５０枚であるため、このクレジット表示部２９ａに表示されるクレジット枚数は、通常５０以下の数値となる。また、最大枚数の５０枚のメダルがクレジシットされている状態では、投入されたメダルはそのまま払い出される。
【００４０】
パネル表示部１９の上部側Ｔには、上部ユニット１１が装着されている。上部ユニット１１は、液晶表示装置１１ａ、複数のＬＥＤ（図示せず）及びスピーカ２５Ｌ，２５Ｒを主体に構成されている。液晶表示装置１１ａは、演出に関する種々の情報を表示する。複数のＬＥＤは、演出に関する種々の情報を報知する。スピーカ２５Ｌ，２５Ｒは、遊技及び演出に関する種々の効果音等を出力する。また、前面扉２ａの両側には、一対のサイドカバー９０Ｌ，９０Ｒが設けられている。一対のサイドカバー９０Ｌ，９０Ｒは、取り付けネジにより筐体２に固定支持されている。
【００４１】
図２に示すように、キャビネット２ｂの背板には、略中央部にメダル補給部８０が設けられている。メダル補給部８０は、キャビネット２ｂの背板に形成された補給口８１を介して筐体２の外部と筐体２の内部とを連通させており、筐体２の外部に配置されたメダル補給機（図示せず）から補給されるメダルを後述のホッパー４０（払出装置）に案内する（後に説明する図５参照）。
【００４２】
メダル補給部８０は、投入部８０ａと、メダル通路部８０ｂと、を主体に構成されている。投入部８０ａは、上方が開口しており、メダル補給機から補給されるメダルが投入される。メダル通路部８０ｂは、投入部８０ａと連結されており、投入部８０ａに投入されたメダルをホッパー４０に案内する。メダル通路部８０ｂは、筐体２の背面側Ｒから前面側Ｆに向かって下り傾斜する傾斜面を有しており、投入されたメダルは、この傾斜面を滑りながらホッパー４０に案内される。
【００４３】
なお、本実施形態においては、遊技機１にメダルを補給する補給方法として、メダル補給機により補給する構成としたが、管理者が前面扉２ａを開いて直接ホッパー４０にメダルを補給することもできる。例えば、メダル補給機を有さない遊技店等においては、管理者が直接ホッパー４０にメダルを補給する。
【００４４】
メダル補給部８０の一方側Ｒ１には、後述の第１ボックス１１０が配設される第１取付部９１が設けられている。第１取付部９１は、第１開口部９２と、スピーカカバー９３と、を主体に構成されている。第１開口部９２は、第１ボックス１１０に取り付けられるスピーカユニットの口径と略同形状に形成されており、キャビネット２ｂの背板を貫通するように形成されている。スピーカカバー９３は、第１開口部９２を覆うようにキャビネット２ｂの背板に取り付けられている。スピーカカバー９３には、複数の開孔が形成されており、スピーカユニット１０１の後に説明する正面側から出力される効果音等を筐体２の外部に放出可能にする。
【００４５】
一方、メダル補給部８０の他方側Ｌには、後述の第２ボックス１２０が配設される第２取付部９４が設けられている。第２取付部９４は、第２開口部９５と、背部カバー９６と、を主体に構成されている。第２開口部９５は、キャビネット２ｂの背板を貫通するように形成されている。背部カバー９６は、第２開口部９５を覆うようにキャビネット２ｂの背板に取り付けられている。また、背部カバー９６は、キャビネット２ｂの背板から取り外し可能に形成されている。
【００４６】
なお、本実施形態においては、第２取付部９４は、キャビネット２ｂの背板を貫通する第２開口部９５と、第２開口部９５を覆う背部カバー９６と、を主体に構成したが、第２取付部９４は、開口を有さない構成であってもよい。つまり、キャビネット２ｂの背板に第２ボックス１２０を取付可能な取付部が設けられる構成であればよい。
【００４７】
次に、図３から図１２を参照して、遊技機１の内部構成について説明する。
まず、前面扉２ａの内部構成について説明する。図３は、前記実施形態に係る遊技機１の前面扉２ａの内部構成を示す外観斜視図である。
【００４８】
図３に示すように、前面扉２ａには、裏面の略中央部に遊技に係る図柄を変動表示させるメインリールユニット３０Ａ（第１変動表示装置）が装着されている。メインリールユニット３０Ａは、前述のメイン表示窓３ａに対向するように配設されており、メイン表示窓３ａに設けられた３つの窓枠表示領域４Ｌ，４Ｃ，４Ｒを通じて、遊技者が各メインリール３Ｌ，３Ｃ，３Ｒの動作や各メインリール３Ｌ，３Ｃ，３Ｒ上に描かれている図柄を視認可能に配設されている。
【００４９】
メインリールユニット３０Ａは、メインリール３Ｌ，３Ｃ，３Ｒと、リール収容カバー３１Ａと、を主体に構成されている。メインリール３Ｌ，３Ｃ，３Ｒは、複数種類の図柄が各々の外周面に描かれた３個のリールから構成されている。メインリール３Ｌ，３Ｃ，３Ｒは、それぞれが縦方向に一定の速度で回転できるように前面扉２ａに対して並列状態（横一列）に配設される。
【００５０】
リール収容カバー３１Ａは、メインリール３Ｌ，３Ｃ，３Ｒの周囲を覆うように形成されており、主カバー部３１ａと、一対の側面カバー部３１ｂと、を主体に構成されている。
主カバー部３１ａは、全体が略円弧型に形成されており、メインリール３Ｌ，３Ｃ，３Ｒを保護するようにメインリール３Ｌ，３Ｃ，３Ｒの背面側（前面扉２ａの裏面側）を被覆している。一対の側面カバー部３１ｂは、並列状態に配設されたメインリール３Ｌ，３Ｃ，３Ｒの両側を保護する。
【００５１】
また、主カバー部３１ａには、３箇所の挿通口３１ｃ及び３箇所の通孔３１ｄが形成されている。３箇所の挿通口３１ｃは、リール収容カバー３１Ａの内部に設けられたステッピングモータ４９Ｌ，４９Ｃ，４９Ｒ（図示せず）を制御する制御基板（図示せず）に接続させるために設けられている。３箇所の通孔３１ｄは、遊技店の係員などがメインリール３Ｌ，３Ｃ，３Ｒを目視により確認したり、手で直接動かして回転させるために設けられている。
【００５２】
前面扉２ａの裏面におけるメインリールユニット３０Ａの一方側Ｒ１（図３におけるＲ１側）には、メダルセレクタ５０が設けられている。メダルセレクタ５０は、メダル投入口５から投入されたメダルがメダルセレクタ５０の内部に形成されたメダル通路（図示せず）を通過する際に、メダルの真偽を判別する。メダルセレクタ５０は、例えば、メダル投入口５から投入されたメダルが正規メダルと判別した場合には、投入されたメダルをカウントすると共に、メダル通路の排出側に接続されている案内部５３に投入されたメダルを案内する。
【００５３】
案内部５３は、メダル通路から排出されたメダルをキャビネット２ｂに配置されるホッパー４０（図４参照）に案内する。案内部５３は、前面扉２ａの前面側Ｆから背面側Ｒに向かって下り傾斜する傾斜面を有しており、投入されたメダルは、この傾斜面を滑りながらホッパー４０に案内される。案内部５３は、筐体２の前面扉２ａを閉じた状態において、ホッパー４０の上方に配設されている（後に説明する図５参照）。これにより、案内部５３は、メダル通路（図示せず）を通じて排出されたメダル（正規メダル）をホッパー４０に案内可能となる。
【００５４】
メダルセレクタ５０の下部側Ｂには、キャンセルシュータ５１が設けられている。更に、キャンセルシュータ５１の下部側Ｂには、キャンセルシュート５２が設けられている。メダルセレクタ５０は、メダル投入口５から投入されたメダルが不正メダルと判別した場合には、投入されたメダルをメダル通路から案内部５３に案内せず、メダルセレクタ５０の下部側Ｂに設けたキャンセルシュータ５１を通じて、キャンセルシュート５２の内部に落下させる。
【００５５】
キャンセルシュート５２は、キャンセルシュータ５１を通じて排出されたメダル（不正メダル）或いは、ホッパー４０から払い出されるメダルをメダル払出口１４からメダル受け部１５に排出させる。
【００５６】
メインリールユニット３０Ａの上部側Ｔには、前述のパネル表示部１９が設けられている。また、パネル表示部１９の上部側Ｔには、液晶表示装置１１ａ及びスピーカ２５Ｌ，２５Ｒが取り付けられた前述の上部ユニット１１が配設されている。
【００５７】
次に、キャビネット２ｂの内部構成について説明する。
図４は、本実施形態に係る遊技機１のキャビネット２ｂの内部構成を示す外観斜視図である。図５は、本実施形態に係る遊技機１のキャビネット２ｂの内部構成を示す側面図である。
【００５８】
図４及び図５に示すように、キャビネット２ｂの上部側Ｔには、サブリールユニット２１（第２変動表示装置）が設けられている。サブリールユニット２１は、前面扉２ａを閉じた状態における第１表示窓２２ａと対向する位置に配設されている（図５参照）。具体的には、サブリール２１Ｌ，２１Ｃ，２１Ｒは、前面扉２ａを閉じた状態において、第１表示窓２２ａに設けられた３つの開口２２Ｌ，２２Ｃ，２２Ｒを通じて、遊技者が各サブリール２１Ｌ，２１Ｃ，２１Ｒの動作や各サブリール２１Ｌ，２１Ｃ，２１Ｒ上に描かれている図柄を視認可能に配設されている。また、サブリールユニット２１は、前面扉２ａを閉じた状態におけるメインリールユニット３０Ａの上部側Ｔに配設されている。
【００５９】
サブリールユニット２１は、複数種類の図柄が各々の外周面に描かれた３個のサブリール２１Ｌ，２１Ｃ，２１Ｒと、サブリール２１Ｌ，２１Ｃ，２１Ｒの周囲を覆うように形成されるリール収容カバー２１Ａと、を主体に構成されている。
【００６０】
サブリール２１Ｌ，２１Ｃ，２１Ｒは、メインリール３Ｌ，３Ｃ，３Ｒを相対的に大型化したリールであり、演出に係る図柄が周面に描かれている。サブリール２１Ｌ，２１Ｃ，２１Ｒは、それぞれが縦方向に一定の速度で回転できるようにキャビネット２ｂの幅方向（図４における「Ｌ−Ｒ１方向」）に並列状態（横一列）に配設されている。
【００６１】
リール収容カバー２１Ａは、全体が略円弧型に形成された主カバー部２１ａと、一対の側面カバー部２１ｂと、を主体に構成されている。主カバー部２１ａは、サブリール２１Ｌ，２１Ｃ，２１Ｒを保護するようにサブリール２１Ｌ，２１Ｃ，２１Ｒの背面側（キャビネット２ｂの裏面側）を被覆する。一対の側面カバー部２１ｂは、並列状態に配設されたサブリール２１Ｌ，２１Ｃ，２１Ｒの両側を保護する。サブリールユニット２１は、サブリール２１Ｌ，２１Ｃ，２１Ｒがリール収容カバー２１Ａに保護された状態で、キャビネット２ｂの内部に設けられた載置部２８に取り付けられる。
【００６２】
キャビネット２ｂの床面には、ホッパー４０が配設されている。ホッパー４０は、開放部４２と、ホッパータンク４３と、メダル排出機構（図示せず）と、を主体に構成されている。開放部４２は、ホッパー４０の上部に設けられており、略矩形状に形成されている。開放部４２には、前述のメダル補給部８０又は案内部５３から流通されるメダル若しくは管理者により補給されるメダルが投入される。ホッパータンク４３は、開放部４２と連続しており、開放部４２に投入されたメダルを貯留する。
【００６３】
メダル排出機構は、ホッパータンク４３に貯留されたメダルを遊技結果に応じて排出する。具体的には、メダル排出機構は、遊技結果に応じて払い出されるメダルを排出部４６に排出する（図３参照）。排出部４６は、キャンセルシュート５２の下部に連結されており、排出部４６に排出されたメダルは、キャンセルシュート５２の下部から前面扉２ａの下部側Ｂに開口したメダル払出口１４（図１参照）を介して、メダル受け部１５に払い出される。
【００６４】
また、ホッパー４０の他方側Ｌには、キャビネット２ｂ内の各電気部品などに電力を供給する電源部４７が設けられている。また、キャビネット２ｂの上部側Ｔには、主制御回路７１と副制御回路７２とがそれぞれ取り付け固定されている。また、キャビネット２ｂの他方側Ｌの端部には、上部側Ｔと下部側Ｂに、前面扉２ａを回動可能に軸支する軸受け部２８ａ，２８ｂがそれぞれ設けられている。
【００６５】
図５に示すように、ホッパー４０の上方には、ホッパー４０の開放部４２の一部を覆うようにスピーカボックス１００が配設されている。また、スピーカボックス１００は、前面扉２ａを閉じた状態において、メインリールユニット３０Ａと対向する位置に配設される。更に、スピーカボックス１００は、前面扉２ａを閉じた状態における案内部５３と接触しないように案内部５３の近傍に配置される。言い換えると、スピーカボックス１００は、開放部４２の上方に配置された案内部５３に干渉しないように配設される。
【００６６】
ここで、図６〜図１２を参照して、本実施形態による遊技機１に取り付けられるスピーカボックス１００について説明する。なお、図６〜図１２に示すスピーカボックス１００には、スピーカユニット１０１が取り付けられている。
【００６７】
図６は、本実施形態に係る遊技機１のキャビネット２ｂの内部に配設されるスピーカボックス１００とホッパー４０を示す外観斜視図である。図７は、本実施形態に係る遊技機１に配設されるスピーカボックス１００の外観斜視図である。図８は、本実施形態に係る遊技機１に配設されるスピーカボックス１００の正面図である。図９は、本実施形態に係る遊技機１に配設されるスピーカボックス１００の背面図である。図１０は、本実施形態に係る遊技機１に配設されるスピーカボックス１００の平面図である。図１１は、図９のＸ−Ｘ断面図である。図１２は、図９のＹ−Ｙ断面図である。
【００６８】
図６に示すように、スピーカボックス１００は、キャビネット２ｂの内部において、ホッパー４０の上方に配設されている。具体的には、ホッパー４０の開放部４２の一部を覆うようにホッパー４０の上方に配置されている。
【００６９】
図７に示すように、スピーカボックス１００は、第１ボックス１１０と、第２ボックス１２０と、連通部１３０と、を主体に構成されている。第１ボックス１１０には、スピーカユニット１０１が取り付けられており、第２ボックス１２０には、第２ボックス１２０の内部とスピーカボックス１００の外部とを連通させる放音パイプ１５０（放出パイプ）が内蔵されている。また、第１ボックス１１０と第２ボックス１２０とは並列に配置されており、連通部１３０は、第１ボックス１１０と第２ボックス１２０とを連通させている。
【００７０】
本実施形態によるスピーカボックス１００は、第１ボックス１１０及び第２ボックス１２０がスピーカユニット１０１の背面側から出力された音に対する音響空間を構成し、放音パイプ１５０と連通部１３０とがバスレフポートを構成する、いわゆるダブルバスレフ型のスピーカボックスである。
以下、ダブルバスレフ型のスピーカボックス１００において、スピーカユニット１０１が取り付けられる側を正面側とし、正面側と反対側を背面側というものとして説明する。
【００７１】
第１ボックス１１０は、略円筒形に形成されている。第１ボックス１１０の長手方向における一端側（スピーカユニット１０１の正面側）には、開放された開放端部１１１が設けられている。開放端部１１１には、周縁に複数の取付部１１７が設けられている。取付部１１７は、第１ボックス１１０をキャビネット２ｂの内部側から第１取付部９１に取り付ける際に用いられる。つまり、第１取付部９１には、第１ボックス１１０の開放端部１１１側が配設される。
【００７２】
図８に示すように、第１ボックスの開放端部１１１には、スピーカユニット１０１が取り付けられている。具体的には、第１ボックス１１０の開放端部１１１には、スピーカユニット１０１の正面部を構成する円錐形の振動板１０１ａが露出するようにスピーカユニット１０１が取り付けられている。
【００７３】
一方、開放端部１１１と反対側の他端側（スピーカユニット１０１の背面側）には、密封された密封端部１１４が設けられている。図９及び図１０に示すように、第１ボックス１１０の密封端部１１４側の周面には、第２ボックス１２０と対向する位置に凹状の第１凹状部１１２が形成されている。第１凹状部１１２は、筐体２の前面扉２ａを閉じた状態において、メインリールユニット３０Ａの背面側の一部を収容可能に形成されている。また、第１凹状部１１２の下方側には、第２凹状部１１３が形成されている。第２凹状部１１３には、後述の第１パイプ１３１が接続されている（図１１参照）。
【００７４】
また、第１ボックス１１０の底部には、底面部１１５が形成されている。底面部１１５は、ホッパー４０の開放部４２を構成する上部側縁の内、一方側Ｒ１の上部側縁４４ｃの上部側Ｔに配置されるように設けられている。また、スピーカボックス１００は、底面部１１５と上部側縁４４ｃとの隙間がメダルの厚さよりも小さくなるようにホッパー４０の上方に配置される。
【００７５】
第２ボックス１２０は、略円筒形に形成されている。第２ボックス１２０の長手方向における一端側（スピーカユニット１０１の正面側）には、密封された第１端部１２１が設けられている。第１端部１２１には、周縁に複数の取付部１２７が設けられている。取付部１２７は、第２ボックス１２０をキャビネット２ｂの内部側から第２取付部９４に取り付ける際に用いられる。第２取付部９４には、第２ボックス１２０の第１端部１２１側が配設される。
【００７６】
一方、第２ボックス１２０の長手方向における他端側（スピーカユニット１０１の背面側）には、密封された第２端部１２４が設けられている。図９に示すように、第２ボックス１２０の第２端部１２４には、ダクト部１２４ａが形成されている。ダクト部１２４ａには、第２ボックス１２０の内部に配置された放音パイプ１５０が連結されており、第２ボックス１２０内に放音された音を放音パイプ１５０を介してスピーカボックス１００の外部に放音する（図１２参照）。
【００７７】
図９及び図１０に示すように、第２ボックス１２０の第２端部１２４側の周面には、第１ボックス１１０と対向する位置に凹状の第１凹状部１２２が形成されている。第１凹状部１２２は、筐体２の前面扉２ａを閉じた状態において、メインリールユニット３０Ａの背面の一部を収容可能に形成されている。また、第１凹状部１２２の下方側には、第２凹状部１２３が形成されている。第２凹状部１２３には、後述の第２パイプ１３２が接続されている（図１１参照）。
【００７８】
また、第２ボックス１２０の底部には、底面部１２５が形成されている。底面部１２５は、ホッパー４０の開放部４２を構成する上部側縁の内、他方側Ｌの上部側縁４４ａの上部側Ｔに配置されるように設けられている。また、スピーカボックス１００は、底面部１１５と上部側縁４４ａとの隙間がメダルの厚さよりも小さくなるようにホッパー４０の上方に配置される。
【００７９】
図１１に示すように、連通部１３０は、第１ボックス１１０と第２ボックス１２０の間に配置され、スピーカユニット１０１の背面側から第１ボックス１１０の内部に出力された音をバスレフポートとして第２ボックス１２０の内部に流通させる。連通部１３０は、第１パイプ１３１と、第２パイプ１３２と、連結部１３３と、を主体に構成されている。なお、連結部１３３は、スピーカボックス１００の正面側に配置されている。
【００８０】
第１パイプ１３１は、一端側が第１ボックス１１０に接続されている。具体的には、第１パイプ１３１は、一端側が第２凹状部１１３に接続されている。一方、第１パイプ１３１の他端側は、スピーカボックス１００の正面側に延び、スピーカボックス１００の正面側に配置された連結部１３３と接続されている。
【００８１】
第２パイプ１３２は、一端側が連結部１３３に接続されている。一方、第２パイプ１３２の他端側は、スピーカボックス１００の背面側に延び、第２ボックス１２０と接続されている。具体的には、第２パイプ１３２の他端側は、第２凹状部１２３と接続されている。
【００８２】
図１０及び図１１に示すように、連結部１３３は、第１ボックス１１０と第２ボックス１２０との間に配置されている。また、連結部１３３には、スピーカボックス１００の正面側から背面側に向かって下り傾斜する傾斜部１３３ａが形成されている（図７参照）。傾斜部１３３ａは、キャビネット２ｂの背面側において、メダル補給部８０の下部側Ｂに配置されている。傾斜部１３３ａは、メダル補給部８０から補給されるメダル、案内部５３から案内されたメダル又は管理者により補給されるメダル等をキャビネット２ｂの床面に零すことなくホッパー４０に案内する。
【００８３】
また、連結部１３３の下方側には、底面部１３５が形成されている。底面部１３５は、ホッパー４０の開放部４２を構成する上部側縁の内、背面側の上部側縁４４ｂの上部側Ｔに配置されるように設けられている。また、スピーカボックス１００は、底面部１３５と上部側縁４４ｂとの隙間がメダルの厚さよりも小さくなるようにホッパー４０の上方に配置される。
【００８４】
このように構成されたスピーカボックス１００は、スピーカユニット１０１の背面側から第１ボックス内に出力された効果音等を、図１１及び図１２に示す矢印方向に連通部１３０を介して第２ボックス１２０の内部に流通させ、放音パイプ１５０を介してスピーカボックス１００の外部に放音する。これにより、十分な低音の再生が可能になる。つまり、低音域の音の出力性が向上する。
【００８５】
なお、スピーカボックス１００における低音域の調整は、例えば、第１ボックス１１０又は第２ボックス１２０の容積や、第１パイプ１３１、第２パイプ１３２又は放音パイプ１５０の直径や長さを変更したものを適宜選択することにより調整することが可能になる。
【００８６】
次に、図１３を参照して、遊技機１の回路構成について説明する。図１３は、本実施形態に係る遊技機の電気回路の構成を示すブロック図である。
【００８７】
遊技機１を構成する回路は、遊技機１の動作を制御する主制御回路７１と、主制御回路７１に電気的に接続するアクチュエータである周辺装置と、主制御回路７１から送信される信号に基づいて各種の装置（例えば、スピーカユニット２５Ｌ，２５Ｒ、２６、１０１、サブリール２１Ｌ，２１Ｃ，２１Ｒ、及び液晶表示装置１１ａなど）を制御する副制御回路７２と、主制御回路７１から副制御回路７２に送信される信号を中継する主中継回路７１ａと、副制御回路７２と各種の装置とで通信される信号を中継する副中継回路７２ａと、を主体に構成されている。
【００８８】
主制御回路７１は、基板上に配置されたマイクロコンピュータ３０を主たる構成とする。更に、主制御回路７１は、乱数値の抽出を行う回路を備えて構成されている。マイクロコンピュータ３０は、メインＣＰＵ３１、メインＲＯＭ３２、及びメインＲＡＭ３３を含んで構成される。
【００８９】
メインＣＰＵ３１は、メインＲＯＭ３２に記憶されたプログラムを実行して、各アクチュエータの動作を直接的又は間接的に制御する。メインＣＰＵ３１には、時刻を示し又は時間を測定するためにパルスを発生するクロックパルス発生回路３４と、分周器３５と、乱数を発生する乱数発生器３６と、発生した乱数から乱数値を抽出するサンプリング回路３７とが接続されている。なお、メインＣＰＵ３１により乱数の発生及び乱数値の抽出を実行するように構成してもよい。
【００９０】
メインＲＯＭ３２は、メインＣＰＵ３１が実行するための所定のプログラム、各種テーブルなどの固定的なデータを記憶する。また、メインＲＯＭ３２には、主制御回路７１から副制御回路７２に送信される各種の信号に関する情報などが格納されている。なお、副制御回路７２から主制御回路７１にコマンドや情報などが送信されることはなく、主制御回路７１から副制御回路７２への一方向で通信が行われる。
【００９１】
メインＲＡＭ３３は、メインＣＰＵ３１がプログラムを実行する際に一時的にデータを記憶するために使用される。
【００９２】
図１３の回路において、マイクロコンピュータ３０からの信号により動作が制御される主要なアクチュエータとしては、１−ＢＥＴランプ９ａ、最大ＢＥＴランプ９ｂ、ボーナス遊技情報表示部１６、クレジット表示部１７、ホッパー駆動回路４１の命令により所定の枚数のメダルを払出すホッパー４０と、メインリール３Ｌ，３Ｃ，３Ｒを回転させるステッピングモータ４９Ｌ，４９Ｃ，４９Ｒとがある。
【００９３】
更に、ステッピングモータ４９Ｌ，４９Ｃ，４９Ｒによる回転の動作を所定のパルス（以下「駆動パルス」という）を出力することにより制御するモータ駆動回路３９、ホッパー４０の動作を制御するホッパー駆動回路４１、１−ＢＥＴランプ９ａなどの点灯及び消灯を管理するランプ駆動回路４５、及びボーナス遊技情報表示部１６などによる表示を管理する表示部駆動回路４８がメインＣＰＵ３１に接続されている。これらの回路は、それぞれメインＣＰＵ３１から出力される信号を受けて、各アクチュエータの動作を制御する。
【００９４】
また、マイクロコンピュータ３０が信号を発生するためにマイクロコンピュータ３０へ送信される信号を発生する手段として、スタートスイッチ６Ｓ、ストップスイッチ７ＬＳ，７ＣＳ，７ＲＳ、１−ＢＥＴスイッチ８ａＳ、最大ＢＥＴスイッチ８ｂＳ、Ｃ／Ｐスイッチ１３Ｓ、設定スイッチ６１Ｓ、リセットスイッチ６２Ｓ、メダルセンサ１０Ｓ、リール位置検出回路５４、及び払出完了信号回路５５がある。
【００９５】
スタートスイッチ６Ｓは、スタートレバー６の操作を検出し、所定の信号を出力する。この信号に基づいて、メインリール３Ｌ，３Ｃ，３Ｒの回転が開始される。すなわち、スタートスイッチ６Ｓにより行われるスタートレバー６の操作の検出に基づいて、メインリール３Ｌ，３Ｃ，３Ｒは回転を開始する。
【００９６】
メダルセンサ１０Ｓは、メダル投入口５から受入れられたメダルを検出する。
ストップスイッチ７ＬＳ，７ＣＳ，７ＲＳは、対応する停止ボタン７Ｌ，７Ｃ，７Ｒの停止操作に応じて所定の信号を発生する。この信号に基づいて、メインリール３Ｌ，３Ｃ，３Ｒの回転が停止する。すなわち、ストップスイッチ７ＬＳ，７ＣＳ，７ＲＳにより行われる停止操作の検出に基づいて、メインリール３Ｌ，３Ｃ，３Ｒは回転を停止する。言い換えるならば、ストップスイッチ７ＬＳ，７ＣＳ，７ＲＳにより行われる停止操作の検出に基づいて、図柄の変動を停止する制御が行われる。
【００９７】
設定スイッチ６１Ｓは、遊技店側が管理する設定キーが設定用の鍵穴に差し込まれて右方向、すなわち「ＯＮ」の方向に回動された状態で遊技機１の電源が投入される操作（以下「設定値変更操作」という）を検出する。
【００９８】
リセットスイッチ６２Ｓは、設定スイッチ６１Ｓにより設定値変更操作の検出が行われると、遊技者にとっての有利さの度合いを区別するための指標である設定値を決定するために設けられたリセットボタン（図示せず）を押す操作を検出する。この操作がリセットスイッチ６２Ｓにより検出されると、ボーナス遊技情報表示部１６に表示される設定値が「１」、「４」、「６」、「Ｈ」の４段階で移行する。
【００９９】
本実施形態では、設定値変更操作及びリセットボタンの操作が行われ、ボーナス遊技情報表示部１６に表示される設定値が所望の設定値となったときにスタートレバー６の操作が行われることにより、所望の設定値を設定することができる構成としている。すなわち、これらの操作により、設定値「１」、「４」、「６」、「Ｈ」の４つの段階のうちからいずれかの段階を設定値として決定することができることとしている。言い換えると、メインＣＰＵ３１は、遊技者にとっての有利さの度合いを示す複数の設定値のうちの一の設定値をメインＲＡＭ３３に格納する。
その後、左方向、すなわち「ＯＦＦ」の方向に回動された状態で設定キーを引き抜く操作が行われると、設定した設定値で、遊技者が操作を行うことが可能な状態となる。
【０１００】
これらの操作が行われることにより、メインＣＰＵ３１により内部当籤役が決定される確率が調整され、遊技者に払出されたメダルの総数である総払出数と遊技機１に投入されたメダルの総数である総投入枚数とから算出されるいわゆるペイアウト率、機械割などの値が調整可能となる。
【０１０１】
リール位置検出回路５４は、メインリール３Ｌ，３Ｃ，３Ｒに設けられたセンサからのパルスを受けて信号をメインＣＰＵ３１へ供給する。メインＣＰＵ３１は、この信号に基づいて、各メインリール３Ｌ，３Ｃ，３Ｒが回転しているときの図柄の位置を管理する。払出完了信号回路５５は、メダル検出部４０Ｓにより計数されたホッパー４０から払出されたメダルの枚数が指定された所定の枚数に達すると、メダルの払出が完了したことを示す信号を発生する。
【０１０２】
図１３の回路において、乱数発生器３６は、一定の数値の範囲に属する乱数を発生する。サンプリング回路３７は、スタートレバー６が操作された後の適宜のタイミングで、乱数発生器３６が発生する乱数から１個の乱数値を抽出する。こうして抽出された乱数値は、メインＲＡＭ３３に設けられた所定の領域（以下「乱数値格納領域」という）に格納される。
【０１０３】
メインリール３Ｌ，３Ｃ，３Ｒは、ステッピングモータ４９Ｌ，４９Ｃ，４９Ｒに所定の駆動パルスが与えられることにより１回転する。ステッピングモータ４９Ｌ，４９Ｃ，４９Ｒの各々に与えられた駆動パルスの数は、駆動パルスの計数値としてメインＲＡＭ３３の所定の領域に書き込まれる。他方、メインリール３Ｌ，３Ｃ，３Ｒが一回転するごとにこの所定の領域をリセットする信号（以下「リセットパルス」という）が得られる構成を採用している。このリセットパルスがリール位置検出回路５４を介してメインＣＰＵ３１に入力されると、メインＲＡＭ３３に格納される駆動パルスの計数値が「０」に更新される。
【０１０４】
本実施形態では、ステッピングモータ４９Ｌ，４９Ｃ，４９Ｒに駆動パルスが所定の回数与えられることで、メインリール３Ｌ，３Ｃ，３Ｒの外周面に描かれた図柄１つ分だけメインリール３Ｌ，３Ｃ，３Ｒが回転する構成としている。また、本実施形態では、図柄１つ分だけメインリール３Ｌ，３Ｃ，３Ｒが回転した回数をメインＣＰＵ３１が計数するためにカウンタ（以下「図柄カウンタ」という）が設けられている。
【０１０５】
そして、リール位置検出回路５４は、所定の図柄（例えば、コードナンバー「０」が付された図柄）が窓枠表示領域４Ｌの中段、窓枠表示領域４Ｃの中段、及び窓枠表示領域４Ｒの中段の各位置を結ぶラインに沿って表示される所定の位置でリセットパルスが得られるように構成されている。言い換えると、所定の図柄がセンターラインに沿って表示されるタイミングでリセットパルスが得られるように構成されている。ここで、図柄位置は、メインＣＰＵ３１がメインリール３Ｌ，３Ｃ，３Ｒの外周面に描かれた図柄の位置を特定するときに用いる位置の情報である。
【０１０６】
上記乱数値の抽出に基づく所定の内部抽籤処理により内部当籤役を決定すると、メインＣＰＵ３１は、遊技者が停止ボタン７Ｌ，７Ｃ，７Ｒを操作したタイミングでストップスイッチ７ＬＳ，７ＣＳ，７ＲＳから送られる信号に基づいて、メインリール３Ｌ，３Ｃ，３Ｒの回転の停止を指示する信号をモータ駆動回路３９に送る。
【０１０７】
そして、入賞が成立すれば、メインＣＰＵ３１によりメダルの払出しを開始することを指示する信号がホッパー駆動回路４１に供給されてホッパー４０から所定の枚数のメダルが払出される。その際、メダル検出部４０Ｓは、ホッパー４０から払出されるメダルの枚数を計数し、その計数値が指定された数に達した時に、メダルの払出しを終了することを指示する信号がメインＣＰＵ３１に入力される。これにより、ホッパー駆動回路４１を介してホッパー４０の駆動が停止され、メダルの払出しが終了する。
【０１０８】
副制御回路７２では、主制御回路７１から送信されたコマンドに基づき、予め記憶されたプログラムを実行して、各アクチュエータの動作を直接的又は間接的に制御する。副制御回路７２が制御するアクチュエータとしては、液晶表示装置１１ａ、サブリール２１Ｌ，２１Ｃ，２１Ｒ、スピーカ２５Ｌ，２５Ｒ、２６、１０１などがある。
【０１０９】
例えば、副制御回路７２では、予め記憶された所定のプログラムに従って、液晶表示装置１１ａに演出に係る様々な映像を表示させる。例えば、所定のキャラクターを登場させ、キャラクターに入賞に係るヒント等を表示させたり、遊技の状況を報知又は告知したりする。また、図柄が描かれたリールを表示させ、遊技に係る情報を報知又は告知したりする。
【０１１０】
また、副制御回路７２では、予め記憶された所定のプログラムに従って、サブリール２１Ｌ，２１Ｃ，２１Ｒにメインリール３Ｌ，３Ｃ，３Ｒでは行えない様々な演出を行わせる。例えば、サブリール２１Ｌ，２１Ｃ，２１Ｒを逆回転させたり、各サブリール２１Ｌ，２１Ｃ，２１Ｒをそれぞれ異なる回転速度で回転させたり、各サブリール２１Ｌ，２１Ｃ，２１Ｒそれぞれを演出の態様に応じて移動させたり、各サブリール２１Ｌ，２１Ｃ，２１Ｒに描かれている図柄を動かしたりする等の様々な演出を行わせる。
【０１１１】
更に、副制御回路７２では、予め記憶された所定のプログラムに従って、スピーカ２５Ｌ，２５Ｒ、２６、１０１に様々な音を出力させる演出を行わせる。例えば、遊技の状況や態様に関連させた効果音を出力させたり、液晶表示装置１１ａに表示されるキャラクター等の音声を出力させる。また、例えば、各スピーカ２５Ｌ，２５Ｒ、２６、１０１それぞれに異なる効果音等を出力させたり、高音及び重低音を割り当てて出力させることにより、音による演出に臨場感を生じさせる。
【０１１２】
以上のように構成された本実施形態に係る遊技機１によれば、遊技機１は、以下のような効果を奏する。
本実施形態に係る遊技機１は、スピーカユニット１０１の背面側を密封する第１ボックス１１０と、第１ボックス１１０と第２ボックス１２０とを連通させ、スピーカユニット１０１の背面側から第１ボックス１１０の内部に出力された音を第２ボックス１２０に流通させる連通部１３０と、第２ボックス１２０の内部に流通された音を放音する放音パイプ１５０が内蔵された第２ボックス１２０と、を有するスピーカボックス１００を備える。つまり、本実施形態に係る遊技機１は、放音パイプ１５０と連通部１３０とがバスレフポートを構成する、いわゆるダブルバスレフ型のスピーカボックス１００を備える。
【０１１３】
ダブルバスレフ型のスピーカボックス１００は、スピーカユニット１０１の背面側から出力される音を共振させて位相を反転させ、スピーカユニット１０１の前面から出力される音と同位相にした音を放音パイプ１５０から放音させることが可能になる。つまり、ダブルバスレフ型のスピーカボックス１００は、スピーカユニット１０１の背面側から出力される音が前面側から出力される音と逆位相により打ち消しあわず、互いに同位相で重畳され強調させることができる。すなわち、重低音を増幅させることが可能になる。
これにより、本実施形態に係る遊技機１は、臨場感に溢れる演出を行うことが可能になり、遊技者の遊技に対する興味や興奮を高揚させることができる。
【０１１４】
また、本実施形態に係る遊技機１は、第１ボックス１１０及び第２ボックス１２０の２つのボックスがスピーカユニット１０１の背面側から出力された音に対する音響空間を構成する。そのため、本実施形態に係る遊技機１は、２つのボックスを用いることにより、スピーカボックス１００の内部空間の容積を大きくすることが可能になる。これにより、本実施形態に係る遊技機１は、スピーカボックス１００から出力される効果音等の放音特性を向上させることが可能になる。
【０１１５】
また、第１ボックス１１０と第２ボックス１２０とを一体に形成せず、分解可能に構成した場合においては、例えば、適宜、好ましい容積を有する第１又は第２ボックスを選択することにより、スピーカボックス１００における低音域の調整が容易になる。
【０１１６】
ここで、図１４に本実施形態に係る遊技機１のスピーカボックス１００とホッパー４０との位置関係を示すキャビネット２ｂの正面図を示す。また、図１５に本実施形態に係る遊技機１の遊技機に係る機器の位置関係を示す筐体の側面図を示す。
【０１１７】
図１４及び図１５に示すように、本実施形態に係る遊技機１は、ホッパー４０に設けられる開放部４２の少なくとも一部を覆うように、スピーカボックス１００をホッパー４０の上方側に配置している。そのため、本実施形態に係る遊技機１は、案内部５３又はメダル補給部８０から、若しくは管理者によりメダルが開放部４２に投入された時に、例えば、ホッパータンク４３内におけるメダルの偏った堆積やメダルの落下速度等により、ホッパータンク４３からメダルが跳ね返った場合においても、スピーカボックス１００の底部（例えば、第１及び第２ボックスの底面部１１５，１２５）に衝突させることが可能になる。これにより、本実施形態に係る遊技機１は、メダルがホッパータンク４３の外部に飛散することを防止することが可能になる。
【０１１８】
更に、本実施形態に係る遊技機１は、メダルがホッパータンク４３の外部に飛散することを防止することにより、キャビネット２ｂの床面等にメダルが散点することを防止することが可能になる。これにより、遊技機１の保守作業が容易になる。
【０１１９】
また、本実施形態に係る遊技機１は、例えば、ホッパータンク４３内におけるメダルが偏って堆積し続けた場合においても、スピーカボックス１００の底部（例えば、第１及び第２ボックスの底面部１１５，１２５）に堆積したメダルが接触することにより、偏って堆積したメダルの更なる偏った堆積を抑制することが可能になる。つまり、メダルを押さえつけることにより、偏ったメダルの堆積を抑制することが可能になる。これにより、上記と同様の効果を生じさせることが可能になる。
【０１２０】
また、本実施形態に係る遊技機１は、案内部５３に干渉しないようにホッパー４０に設けられる開放部４２の少なくとも一部を覆うようにスピーカボックス１００を配置している。そのため、本実施形態に係る遊技機１は、メダル投入口５から投入されるメダルのホッパー４０への投入を妨げることなくスピーカボックス１００を配置させることが可能になる。
【０１２１】
また、本実施形態に係る遊技機１は、スピーカボックス１００と開放部４２との隙間がメダルの厚さよりも小さくなるようにスピーカボックス１００が配置されている。そのため、例えば、スピーカボックス１００と開放部４２との隙間からメダルがホッパー４０の外部に零れることを防止することが可能になる。これにより、本実施形態に係る遊技機１は、キャビネット２ｂの床面等にメダルが散点することを防止することが可能になり、遊技機１の保守作業が容易になる。
【０１２２】
また、本実施形態に係る遊技機１は、遊技に係る図柄を変動表示させるメインリールユニット３０Ａに加え、演出に関する図柄を変動表示させ、メインリールユニット３０Ａよりも大型のサブリールユニット２１を備えている。そのため、本実施形態に係る遊技機１は、サブリールユニット２１で行う演出に意外性及び迫力のある演出を行わせることができる。これにより、本実施形態に係る遊技機１は、遊技者の遊技に対する期待感を増して遊技の興趣のより一層の向上を図ることができる。
【０１２３】
更に、本実施形態に係る遊技機１は、小型のメインリールユニット３０Ａの背面側にスピーカボックス１００を配置している。そのため、本実施形態に係る遊技機１は、メインリールユニット３０Ａ及び大型のサブリールユニット２１を有する場合においても、筐体２の内部空間を有効に利用することが可能になる。
【０１２４】
また、本実施形態に係る遊技機１は、スピーカボックス１００に前面扉２ａを閉じた状態におけるメインリールユニット３０Ａの背面の一部を収容可能な第１凹状部１１２，１２２が形成されている。そのため、本実施形態に係る遊技機１は、メインリールユニット３０Ａと干渉することなく、スピーカボックス１００をメインリールユニット３０Ａの背面側に配置させることが可能になる。
【０１２５】
また、本実施形態に係る遊技機１は、スピーカボックス１００の連通部１３０にスピーカボックス１００の正面側から背面側に向かって下り傾斜する傾斜部１３３ａが設けられている。また、傾斜部１３３ａは、キャビネット２ｂの内部において、キャビネット２ｂの背面側（ホッパー４０の背面側）に配置されている。そのため、本実施形態に係る遊技機１は、メダル補給部８０から補給されるメダルや案内部５３から案内されるメダル、若しくは管理者により補給されたメダルを傾斜部１３３ａにより、ホッパー４０の開放部４２に案内させることが可能になる。これにより、本実施形態に係る遊技機１は、キャビネット２ｂの床面に零すことなくメダルをホッパー４０に案内することが可能になる。
【０１２６】
次に、図１６から図２１を参照して、本実施形態の第１変形例に係る遊技機１Ａ、及び第２変形例に係る遊技機１Ｂについて説明する。
なお、第１及び第２変形例に係る遊技機１Ａ、１Ｂにおいては、主として、前記実施形態と異なる点を説明し、前記実施形態と同様の構成については同じ符号を付し、説明を省略する。つまり、第１及び第２変形例に係る遊技機１Ａ、１Ｂにおいて特に説明されない点については、前記実施形態についての説明が適宜適用される。また、前記実施形態と同様の構成については、前記実施形態と同様の効果が奏される。
【０１２７】
［第１変形例］
第１変形例に係る遊技機１Ａには、キャビネット２ｂＡの背板にスピーカボックス１００Ａを嵌挿可能な嵌挿穴９７（開口部）が形成されている。第１変形例に係る遊技機１Ａは、スピーカボックス１００Ａが嵌挿穴９７から嵌挿可能に構成されていることにおいて、前記実施形態に係る遊技機１と相違する。以下、嵌挿穴９７及びスピーカボックス１００Ａを中心に説明する。
【０１２８】
図１６は、第１変形例に係る遊技機１Ａのキャビネット２ｂＡの背面側を示す背面図である。図１６に示すように、第１変形例に係る遊技機１Ａのキャビネット２ｂＡの背板には、スピーカボックス１００Ａを嵌挿可能な嵌挿穴９７が形成されている。嵌挿穴９７は、第１ボックス１１０Ａを嵌挿させる第１嵌挿穴９７ａと、第２ボックス１２０Ａを嵌挿させる第２嵌挿穴９７ｂと、連通部１３０Ａを嵌挿させる第３嵌挿穴９７ｃと、を主体に構成されている。
【０１２９】
第１嵌挿穴９７ａは、前記実施形態における第１取付部９１に設けられている。第１嵌挿穴９７ａは、第１ボックス１１０Ａの正面側の外形と略同形状に形成されている。第２嵌挿穴９７ｂは、前記実施形態における第２取付部９４に設けられている。第２嵌挿穴９７ｂは、第２ボックス１２０Ａの正面側の外形と略同形状に形成されている。第３嵌挿穴９７ｃは、メダル補給部８０が設けられる補給口８１の下部側Ｂに設けられている。第３嵌挿穴９７ｃは、第１嵌挿穴９７ａと第２嵌挿穴９７ｂとを連結し、連通部１３０Ａの外形と略同形状に形成されている。つまり、嵌挿穴９７は、スピーカボックス１００Ａをキャビネット２ｂＡの外部から嵌挿可能に形成されている。
【０１３０】
第１嵌挿穴９７ａの周囲には、キャビネット２ｂＡの外部から嵌挿穴９７を介して嵌挿された第１ボックス１１０Ａを固定する３つのネジ穴９８ａ，９８ｂ，９８ｃが形成されている。同様に、第２嵌挿穴９７ｂの周囲には、キャビネット２ｂＡの外部から嵌挿穴９７を介して嵌挿された第２ボックス１２０Ａを固定する３つのネジ穴９９ａ，９９ｂ，９９ｃが形成されている。
【０１３１】
図１７は、第１変形例に係る遊技機１Ａに配設されるスピーカボックス１００Ａの外観斜視図である。
図１７に示すように、スピーカボックス１００Ａは、スピーカユニット１０１が取り付けられた第１ボックス１１０Ａと、放音パイプ（図示せず）が内蔵された第２ボックス１２０Ａと、第１ボックスと第２ボックスとを連通させる連通部１３０Ａと、を主体に構成されている。
【０１３２】
第１ボックス１１０Ａには、の正面側の縁部に３つの取付部１１７Ａ，１１７Ａ，１１７Ａが設けられている。３つの取付部１１７Ａ，１１７Ａ，１１７Ａは、キャビネット２ｂＡに設けられた３つのネジ穴９８ａ，９８ｂ，９８ｃと対応可能に形成されており、ネジ部材を用いて第１ボックス１１０Ａをキャビネット２ｂＡに固定する際に用いられる。
【０１３３】
また、第２ボックス１２０Ａには、の正面側の縁部に３つの取付部１２７Ａ，１２７Ａ，１２７Ａが設けられている。３つの取付部１２７Ａ，１２７Ａ，１２７Ａは、キャビネット２ｂＡに設けられた３つのネジ穴９９ａ，９９ｂ，９９ｃと対応可能に形成されており、ネジ部材を用いて第２ボックス１２０Ａをキャビネット２ｂＡに固定する際に用いられる。
【０１３４】
第１変形例に係る遊技機１Ａは、前記実施形態に係る遊技機１と同様の構成により生じる効果に加え、以下の効果を奏する。
例えば、第１変形例に係る遊技機１Ａは、スピーカボックス１００Ａがキャビネット２ｂＡの背板に設けられた嵌挿穴９７に嵌合可能に形成されている。そのため、スピーカボックス１００Ａの内部空間の容積を大きくすることが可能になる。例えば、キャビネット２ｂＡの背板の厚み分の容積を確保することが可能になる。これにより、スピーカボックス１００Ａから出力される効果音等の放音特性を向上させることが可能になる。
【０１３５】
また、第１変形例に係る遊技機１Ａは、スピーカボックス１００Ａがキャビネット２ｂＡ（筐体２Ａ）の外部から嵌挿穴９７を介してキャビネット２ｂＡ（筐体２Ａ）の内部に嵌挿可能に形成されると共に、キャビネット２ｂＡの背板の背面側にネジ部材により係止される。そのため、キャビネット２ｂＡ（筐体２Ａ）の外部からスピーカボックス１００Ａの取り外しが可能になる。例えば、キャビネット２ｂＡ（筐体２Ａ）の内部に多数の遊技に係る機器が収容されている場合においても、内部に収容される機器の配置に関係なく容易にスピーカボックス１００Ａの取り外しが可能になる。これにより、遊技機１Ａのメンテナンス性を向上させることが可能になる。
【０１３６】
また、第１変形例に係る遊技機１Ａは、例えば、前面扉２ａを有する筐体２においても、前面扉２ａを開閉することなくスピーカボックス１００を取り外すことが可能になる。これにより、遊技機１Ａのメンテナンス性を向上させることが可能になる。
【０１３７】
［第２変形例］
第２変形例に係る遊技機１Ｂは、筐体２の内部に配置されるスピーカボックス１００Ｂの形状が異なる点において、前記実施形態に係る遊技機１と相違する。以下、スピーカボックス１００Ｂを中心に説明する。
図１８は、本発明の第２変形例に係る遊技機１Ｂに配設されるスピーカボックス１００Ｂの外観斜視図である。図１９は、本発明の第２変形例に係る遊技機１Ｂに配設されるスピーカボックス１００Ｂの断面を示す斜視断面図である。
【０１３８】
図１８及び図１９に示すように、スピーカボックス１００Ｂは、遊技に係る効果音等を出力するスピーカユニット１０１と、矩形状のボックス本体１４０と、を主体に構成されている。
【０１３９】
図１９に示すように、ボックス本体１４０は、第１の面１４１が開放された箱状に形成されている。スピーカユニット１０１は、スピーカカバー１４２に取り付けられた状態でボックス本体１４０の第１の面１４１に固定される。スピーカカバー１４２には、複数の開孔１４３が形成されており、スピーカユニット１０１の正面の振動板１０１ａから出力される効果音等を放音可能に形成されている。
【０１４０】
スピーカユニット１０１の背面側は、ボックス本体１４０に覆われている。言い換えると、スピーカユニット１０１は、背面側がボックス本体１４０に覆われるようにボックス本体１４０に取り付けられ、背面側が密封されている。
【０１４１】
次に、キャビネット２ｂ内におけるスピーカボックス１００Ａの配置状態について説明する。図２０は、第２変形例に係る遊技機１Ｂのスピーカボックス１００Ｂの配置位置を示すキャビネット２ｂの外観斜視図である。図２１は、第２変形例に係る遊技機１Ｂのスピーカボックス１００Ｂの配置位置を示すキャビネット２ｂの正面図である。なお、図２０及び図２１においては、サブリールユニット２１は、省略している。
【０１４２】
図２０に示すように、スピーカボックス１００Ｂは、開放部４２の一部を覆うように、ホッパー４０の上部側Ｔに配設されている。具体的には、スピーカボックス１００Ｂは、図２１に示すように、開放部４２を構成するホッパー４０の他方側Ｌの上部側縁４４ａの上部側Ｔに配設されている。また、スピーカボックス１００Ｂは、図２１に示すように、補給口８１の他方側Ｌに設けられた第２取付部９４に取り付けられている。スピーカボックス１００Ｂは、ネジ部材（図示せず）により固定されている。
【０１４３】
第２変形例に係る遊技機１Ｂは、前記実施形態と同様の構成により生じる効果に加え、以下の効果を奏する。
例えば、第２変形例に係る遊技機１Ｂは、スピーカボックス１００Ａが開放部４２の一部を覆うように、開放部４２を構成するホッパー４０の他方側Ｌの上部側縁４４ａの上部側Ｔに配設される。そのため、例えば、開放部４２に投入されたメダルがホッパータンク４３の内部から飛散した場合においても、スピーカボックス１００Ａの底面部に衝突し、キャビネット２ｂの床面に零れることを抑制させることが可能になる。
【０１４４】
また、第２変形例に係る遊技機１Ｂは、スピーカユニット１０１の背面側をボックス本体１４０で覆う密封型のスピーカボックス１００Ｂを用いて構成している。そのため、第２変形例に係る遊技機１Ｂは、例えば、位相特性の優れた音を出力させることが可能になる。
【０１４５】
また、第２変形例に係る遊技機１Ｂは、外形が複雑な形状を有さないボックス本体１４０から構成されている。そのため、第２変形例に係る遊技機１Ｂは、例えば、少ない製造工程により製造させることが可能になる。これにより、製造コストを抑制した状態で、音質の向上した遊技機を提供することが可能になる。
【０１４６】
また、第２変形例に係る遊技機１Ｂは、複雑な形状を有さない直方体状に形成されている。そのため、第２変形例に係る遊技機１Ｂは、例えば、不要な収容スペースを作ることなくキャビネット２ｂの内部に収容させることが可能になる。これにより、キャビネット２ｂ内の収容スペースを有効に使用することが可能になる。また、例えば、キャビネット２ｂの内部において、スピーカボックス１００Ｂを収容するための収容スペースが少ない場合においても、収容が可能になる。
【０１４７】
以上、本発明を実施するための最良の形態及び変形例について説明したが、本発明はこれらに限定されるものではない。
例えば、本実施形態においては、小型のメインリールユニット３０Ａと、メインリールユニット３０Ａに対して相対的に大型のサブリールユニット２１を備え、メインリールユニット３０Ａの背面側にスピーカボックス１００を配置させる構成としたが、本発明においてはこれに限らない。例えば、大型のメインリールユニットと、メインリールユニットに対して相対的に小型のサブリールユニットを備え、サブリールユニットの背面側にスピーカボックス１００を配置させる構成としてもよい。すなわち、小型のリールユニットの背面側に配置させる構成であってもよい。
【０１４８】
また、本実施形態においては、前面扉２ａにメインリールユニット３０Ａを配設させ、キャビネット２ｂにサブリールユニット２１を配設させる構成としたが、本発明においては、これに限らない。例えば、前面扉２ａにメインリールユニット３０Ａ及びサブリールユニット２１を配設させる構成であってもよい。また、キャビネット２ｂにメインリールユニット３０Ａ及びサブリールユニット２１を配設させる構成であってもよい。
【０１４９】
また、本実施形態においては、前面扉２ａにメインリールユニット３０Ａを配設させ、キャビネット２ｂにサブリールユニット２１を配設させる構成としたが、本発明においては、これに限らない。例えば、前面扉２ａにサブリールユニット２１を配設させ、キャビネット２ｂにメインリールユニット３０Ａを配設させる構成としてもよい。
【０１５０】
また、本実施形態においては、スピーカボックス１００の正面側（筐体の背面側）にスピーカユニット１０１を配置し、スピーカボックス１００の背面側（筐体の前面側）に放音パイプ１５０を設ける構成としたが、本発明においてはこれに限らない。例えば、スピーカボックス１００の正面側（筐体の背面側）にスピーカユニット１０１及び放音パイプ１５０を設ける構成としてもよい。
【０１５１】
また、第１変形例においては、キャビネット２ｂＡの背板に貫通した嵌挿穴９７を設け、この嵌挿穴９７からスピーカボックス１００Ａを嵌挿させる構成としたが、本発明においてはこれに限らない。例えば、背板にキャビネット２ｂＡの内部側に凹む凹状に形成された嵌挿部を設け、嵌挿部にスピーカボックス１００Ａを嵌挿させる構成であってもよい。つまり、筐体２の外部から筐体２の内部に嵌挿可能な構成であればよい。
【０１５２】
また、第１変形例においては、キャビネット２ｂＡの背板に貫通した嵌挿穴９７を設け、この嵌挿穴９７からスピーカボックス１００Ａを嵌挿させる構成としたが、本発明においてはこれに限らない。例えば、嵌挿穴９７の下部側Ｂや上述の嵌挿部の下部側Ｂにスピーカボックス１００Ａの嵌挿を補助するガイド部を設ける構成としてもよい。例えば、スピーカボックス１００を一時的に載置する載置台を設ける構成としてもよい。なお、載置台には、スピーカボックス１００を嵌挿する方向を案内するガイドを設ける構成としてもよい。
【０１５３】
また、第１変形例においては、スピーカボックス１００Ａをキャビネット２ｂＡの背板と水平になるようにキャビネット２ｂＡの背板に取り付ける構成としたが、本発明においてはこれに限らない。例えば、スピーカボックス１００Ａの第２ボックス１２０Ａをキャビネット２ｂＡの背板から筐体２の外部側に突出させる構成としてもよい。これにより、スピーカボックス１００Ａの容積を更に大きくすることが可能になる。
【０１５４】
また、第１変形例においては、スピーカボックス１００Ａをキャビネット２ｂＡにネジ部材により固定させる構成としたが、本発明においてはこれに限らない。例えば、スピーカボックス１００Ａに爪部を設け、キャビネット２ｂＡの背板に爪部と嵌合可能な嵌合部を設け、爪部を嵌合部に嵌合させることにより、スピーカボックス１００をキャビネット２ｂＡに取り付ける構成としてもよい。
【０１５５】
また、第２変形例においては、スピーカユニット１０１の背面側を密封させた密封型のスピーカボックス１００Ｂを用いる構成としたが、本発明においてはこれに限らない。例えば、密封型のスピーカボックス１００Ｂに低域共振用のダクトを設けたシングルバスレフ型のものであってもよい。また、スピーカボックス１００Ｂ内部を２つに区切り、各部屋の仕切り等にダクトを設けたダブルバスレフ型のものであってもよい。
【０１５６】
また、第２変形例においては、スピーカボックス１００Ｂは、ボックス本体１４０を主体に構成したが、本発明においてはこれに限らない。例えば、ボックス本体１４０から延出する延出部を補給口８１の下方側に配置するように設け、延出部にキャビネット２ｂの背面側から前面側に下り傾斜する傾斜部を設ける構成としてもよい。これにより、実施形態における連通部１３０と同様の効果を奏させることが可能になる。また、この延出部の内部を中空状とし、放音パイプとさせてもよい。
【符号の説明】
【０１５７】
１，１Ａ，１Ｂ    遊技機
２    筐体
２ａ    キャビネット
２ｂ    前面扉
５    メダル投入口（投入口）
２１    サブリールユニット（第２変動表示装置）
３０Ａ    メインリールユニット（第１変動表示装置）
４０    ホッパー（払出装置）
４２    開放部
５３    案内部
９７    嵌挿穴（開口部）
１００，１００Ａ，１００Ｂ    スピーカボックス
１０１    スピーカユニット
１１０    第１ボックス
１２０    第２ボックス
１３０    連通部
１３３ａ    傾斜部
１５０    放音パイプ（放出パイプ）
【図１】
2010012243.tif 000003
【図２】
2010012243.tif 000004
【図３】
2010012243.tif 000005
【図４】
2010012243.tif 000006
【図５】
2010012243.tif 000007
【図６】
2010012243.tif 000008
【図７】
2010012243.tif 000009
【図８】
2010012243.tif 000010
【図９】
2010012243.tif 000011
【図１０】
2010012243.tif 000012
【図１１】
2010012243.tif 000013
【図１２】
2010012243.tif 000014
【図１３】
2010012243.tif 000015
【図１４】
2010012243.tif 000016
【図１５】
2010012243.tif 000017
【図１６】
2010012243.tif 000018
【図１７】
2010012243.tif 000019
【図１８】
2010012243.tif 000020
【図１９】
2010012243.tif 000021
【図２０】
2010012243.tif 000022
【図２１】
2010012243.tif 000023